(57)【要約】【課題】少ない部品点数、工数による施工が可能となり、発生する塵埃も減らすことができ、施工性の向上した額縁の下地ボードを提供する。【解決手段】建物開口部の左右に取付けられる額縁の下地ボード１８を、室内外方向に向き、室外側が建具枠１のアングル８ｄに係合される見込み面部１８ａと、この見込み面部１８ａと一体をなし、柱５等の躯体に固定されて室内側下地ボード２６Ｃに連接される見付け面部１８ｂとにより断面形状が略Ｌ字形に構成する。これにより、従来必要としていた内装ボード２６Ｃと額縁との間の補間ボードが不要となる上、補間ボードの切断加工作業が不要となる。【選択図】図２
2010001603.tif 000002
【特許請求の範囲】
【請求項１】
建物開口部に取付けられ、表面に化粧シートが貼り付けられる額縁の下地ボードであって、
室内外方向に向き、室外側が建具枠のアングルに係合される見込み面部と、
この見込み面部と一体をなし、躯体の室内側面に固定されて室内側下地ボードに連接される見付け面部とからなり、
断面形状が略Ｌ字形をなすことを特徴とする額縁の下地ボード。
【請求項２】
請求項１に記載の額縁の下地ボードにおいて、
前記建物開口部の左右に取付けられる額縁の下地ボードは、前記見付け面部の先端部が、開口部を構成する柱の室内側の略中心に位置することを特徴とする額縁の下地ボード。
【請求項３】
請求項１または２に記載の額縁の下地ボードにおいて、
前記額縁の下地ボードの見付け面部が、躯体の室内側面に直接固定されることを特徴とする額縁の下地ボード。
【発明の詳細な説明】
【技術分野】
【０００１】
本発明は、建具枠の室内側に設けられ、建具設置部の室内側を覆う額縁の下地ボードに関する。
【背景技術】
【０００２】
従来のサッシ枠からなる建具枠は、特許文献1に開示され、かつ図５に示すように、建具枠５０の室内側に、平板状の額縁５１が、建具枠５０のアングル５２に室外側端部を係合して取付けられる。額縁５１の室内側端部と、内装ボード５３との間には、補間ボード５４が介装される。５５ａ、５５ｂはそれぞれ柱５６と額縁５１、柱５６と補間ボード５４との間に介在させるカイ木である。補間ボード５４は、施工現場において、内装ボード５３と額縁５１との間隔に合わせて幅Ｗを調整する切断加工を行い、柱５６に取付ける。また、化粧シート５７を巻く通称クロス巻き込み下地ボードの場合には、さらに額縁５１の室内側端部を補間ボード５４に揃えるために切断加工を行っている。
【０００３】
【特許文献１】特開２００７−２３１６３２号公報
【発明の開示】
【発明が解決しようとする課題】
【０００４】
従来の額縁５１は、額縁５１が平板状をなし、額縁５１と内装ボード５３との間に補間ボード５４を介在させた構成を有し、補間ボード５４は現場において幅Ｗを調整する切断加工を行うため、加工に要する手間と時間を要する上、加工により塵埃が発生するという問題点がある。さらに、額縁５１と柱５６、補間ボード５４と柱５６との間にカイ木５５ａ，５５ｂを設けており、工数や部品点数が多いという問題点もある。
【０００５】
本発明は、上記問題点に鑑み、通称クロス巻き込み下地ボードでなる額縁において、少ない部品点数、工数による施工が可能となり、発生する塵埃も減らすことができる施工性の向上した額縁の下地ボードを提供することを目的とする。
【課題を解決するための手段】
【０００６】
請求項１の額縁の下地ボードは、建物開口部に取付けられ、表面に化粧シートが貼り付けられる額縁の下地ボードであって、
室内外方向に向き、室外側が建具枠のアングルに係合される見込み面部と、
この見込み面部と一体をなし、躯体の室内側面に固定されて室内側下地ボードに連接される見付け面部とからなり、
断面形状が略Ｌ字形をなすことを特徴とする。
【０００７】
請求項２の額縁の下地ボードは、請求項１に記載の額縁の下地ボードにおいて、
前記建物開口部の左右に取付けられる額縁の下地ボードは、前記見付け面部の先端部が、開口部を構成する柱の室内側の略中心に位置することを特徴とする。
【０００８】
請求項３の額縁の下地ボードは、請求項１または２に記載の額縁の下地ボードにおいて、
前記額縁の下地ボードの見付け面部が、躯体の室内側面に直接固定されることを特徴とする。
【発明の効果】
【０００９】
請求項１の発明によれば、額縁の下地ボードが躯体の室内側の面に対面する見付け面部を有するため、従来要してした補間ボードが不要となり、建具を施工する建物開口部の構成部品が減少する。また、補間ボードの幅調整可能が不要となるので、現場での加工工数が減少し、塵埃の発生も減少するため、現場での施工性が大幅に向上する。
【００１０】
請求項２の発明によれば、見付け面部の先端部が、開口部を構成する柱の室内側の略中心に位置する構成としたため、横幅が規定された規格品の内装ボードを用い、内装ボードの端部に額縁の下地ボードの見付け面部の先端部を突き合わせて連接することができる。
【００１１】
請求項３の発明によれば、額縁の下地ボードの見付け面部を躯体の室内側の面に直接固定する構造としたため、見付け面部を躯体との間のカイ木が不要となり、さらなる部品点数、工数の削減が可能となる。
【発明を実施するための最良の形態】
【００１２】
図１は本発明の額縁の下地ボードの一実施の形態を示す建具の縦断面図、図２はその横断面図である。１は建物開口部２に固定される建具枠であり、その内部に不図示の障子が装着される。建物開口部２は、窓台３と、まぐさ４と、左右の柱５，５により構成される。建具枠１は、下枠６と、上枠７と、左右の縦枠８、８とにより構成される。この実施の形態の枠６〜８はアルミニウム合金製押出形材を基本材として構成される。この例の建具枠１は、下枠６、上枠７にそれぞれ不図示の引き違い障子走行用のレール６ａ，７ａを有する引き違い窓に例をとって示している。
【００１３】
この建具枠１は、下枠６および上枠７に設けたタッピングホール６ｂ，７ｂに、縦枠８，８に設けた孔（図示せず）に挿通したタッピングねじを螺合することによって組み立てる。そしてこの組み立てた建具枠１を建物開口部２にスペーサ１０〜１２により垂直度を出して取付ける。すなわち、下枠６の室内側を窓台３に載せ、下枠６の取付片６ｃと窓台３との間、上枠７の取付片７ｃとまぐさ４の間、縦枠８の取付片８ｃと柱５との間にそれぞれ厚さを調整したスペーサ１０，１１，１２を介在させ、それぞれ釘やねじ等の固定具１３，１４，１５により窓台３、まぐさ４、柱５に下枠６、上枠７、縦枠８を固定する。
【００１４】
また、各枠６，７，８の室内側にはアングル６ｄ，７ｄ，８ｄを設ける。アングル６ｄ，７ｄ，８ｄの室内側はそれぞれ額縁の下地ボード１６，１７，１８の室外側に係合させる。アングル７ｄ，８ｄとまぐさ４、柱５との間にカイ木２０，２１を介在させ、釘またはねじ等の固定具２２，２３によりアングル７ｄ，８ｄの部分をまぐさ４や柱５に固定する。額縁の下地ボード１６，１７，１８としては石膏ボード、構造用合板、繊維強化セメント板、けい酸カルシウム板またはＭＤＦ（中比重繊維板）等を用いることができる。
【００１５】
各アングル６ｄ，７ｄ，８ｄはアルミニウム合金製押出形材のみで構成してもよい。しかしこの実施の形態においては、各アングル６ｄ，７ｄ，８ｄはそれぞれアルミニウム合金製押出形材でなる部分に合成樹脂製押出形材とにより構成して防露性を向上させている。
【００１６】
２４は窓台３と額縁の下地ボード１６との間に介在させたカイ木、２５はまぐさ４と額縁の下地ボード１７との間に介在させたカイ木、２６Ａ，２６Ｂ，２６Ｃはそれぞれ窓台３、まぐさ４、柱５の室内側に設ける内装ボード、２７は胴縁、２９は胴縁２７の室内側の面に貼られた防水シート、３０は防水シート２９と内装ボード２６Ａ，２６Ｂ，２６Ｃとの間に設けられた断熱材、３１は胴縁２７の外面に設けられる外装材、３２はこの外装材３１と建具枠１との間の隙間に充填されるシーリング材、３３はシーリング材３２のバックアップ材である。
【００１７】
額縁の下地ボード１６，１７，１８はそれぞれ室内外方向に向けた見込み面部１６ａ、１７ａ、１８ａと、躯体の室内側の面に固定する見付け面部１６ｂ，１７ｂ，１８ｂとからなる略Ｌ字形をなす。見込み面部１６ａ、１７ａ、１８ａの室外側端部はアングル６ｄ，７ｄ，８ｄに係合される。見付け面部１６ｂ，１７ｂ，１８ｂは釘やねじ等の固定具３４により躯体である窓台３、まぐさ４、柱５に直接固定される。
【００１８】
柱５に固定される額縁の下地ボード１８の見付け面部１８ｂの先端は、図３に示すように、柱５の中心Ｏに位置するように、見付け面部１８ｂの幅Ｂが設定される。これにより、見付け面部１８ｂの先端は、規格品である内装ボード２６Ｃの端部と突き合わされる。内装ボード２６Ｃは、柱５，５の各中心間の幅Ａに合わせた例えば９１０ｍｍのものである。３５は内装ボード２６Ａ，２６Ｂ，２６Ｃおよび額縁の下地ボード１６，１７，１８の表面に貼り付けられ、通称クロスと称される化粧シートである。
【００１９】
この実施の形態の額縁の下地ボード１６，１７，１８は、窓台３、まぐさ４、柱５等の躯体の室内側の面に対面する見付け面部１６ｂ，１７ｂ，１８ｂを有するため、従来要してした補間ボードが不要となり、建具を施工する建物開口部２の構成部品が減少する。また、額縁の下地ボード１６，１７，１８の見付け面部１６ｂ，１７ｂ，１８ｂを躯体に直接固定する構成とすることにより、躯体と見付け面部１６ｂ，１７ｂ，１８ｂとの間のカイ木が不要となり、さらなる部品点数が減少する。また、補間ボードの幅調整可能が不要となるので、現場での加工工数が減少し、塵埃の発生も減少するため、現場での施工性が大幅に向上する。
【００２０】
また、図３に示すように、見付け面部１８ｂの先端部が、開口部２を構成する柱５の室内側の略中心Ｏに位置する配置となるように見付け面部１８ｂの幅Ｂを設定したため、規格品の内装ボード２６Ｃを用い、内装ボード２６Ｃの端部に額縁の下地ボード１８の見付け面部１８ｂの先端部を突き合わせて連接することができる。
【００２１】
図４は本発明における下地ボード１７，１８間の連結構造の一例を示す図である。この例の連結構造は、上枠７側の下地ボード１７の見込み面部１７ａにねじ孔４０ａを有するねじ４０を埋め込むと共に、この見込み面部１７ａの端面からボード内に、ボードに平行に、ねじ孔４０ａに連通する孔１７ｃを設ける。一方、縦枠８側の下地ボード１８の見込み面部１８ａには孔１７ｃに対応する貫通孔１８ｃを設ける。そして連結用ねじ４１を下地ボード１８の見込み面部１８ａの貫通孔１８ｃ、下地ボード１７の見込み面部１７ａ孔１７ｃに通し、ねじ４０のねじ孔４０ａに螺合することにより、下地ボード１７，１８を結合する。見込み面部１７ａ，１８ａと見付け面部１７ｂ、１８ｂとの固定は、接着や固定具による固定により行うことができる。
【００２２】
上記実施の形態においては、引き違い窓に例をとって説明したが、本発明は、例えば嵌め殺し窓、回転窓、辷り出し窓、開閉窓、上げ下げ窓、その他の窓、引き違い戸、回転戸、開閉戸、その他の戸にも適用できる。
【図面の簡単な説明】
【００２３】
【図１】本発明の額縁の下地ボードの一実施の形態を示す窓枠の縦断面図である。
【図２】図１の横断面図である。
【図３】この実施の形態の内装ボードの幅と柱との関係および額縁の下地ボードとの寸法関係を説明する平面図である。
【図４】この実施の形態の下地ボードの連結構造の一例を示す斜視図である。
【図５】従来の額縁の下地ボードを示す横断面図である。
【符号の説明】
【００２４】
１：建具枠、２：開口部、３：窓台、４：まぐさ、５：柱、６：下枠、６ｄ：アングル、７：上枠、７ｄ：アングル、８：縦枠、８ｄ：アングル、１０，１１，１２：スペーサ、１３，１４，１５：固定具、１６，１７，１８：額縁の下地ボード、１６ａ，１７ａ，１８ａ：見込み面部、１６ｂ，１７ｂ，１８ｂ：見付け面部、２０，２１：カイ木、２２，２３，２４，２５：カイ木、２６Ａ〜２６Ｃ：内装材、２７：胴縁、２９：防水シート、３０：断熱材、３１：外装材、３２：シーリング材、３３：バックアップ材、３４：固定具、３５：化粧シート、４０：ねじ、４０ａ：ねじ孔、４１：連結用ねじ
【図１】
2010001603.tif 000003
【図２】
2010001603.tif 000004
【図３】
2010001603.tif 000005
【図４】
2010001603.tif 000006
【図５】
2010001603.tif 000007